(57)【要約】【課題】座枠の上面にネット部材を張設した椅子の座構造において、着席者の荷重を適切に受支しうるようにする。【解決手段】座枠１を、外周部に剛質部４を有するとともに、その適所の上面に、上向円弧状に緩く湾曲し、かつ内側方向を向く弾性変形可能な水平方向の張出片５を設けたものとし、この張出片５の上面と座枠１の剛質部４の上面とに亘って、ネット部材２の周辺部を張設する。【選択図】　　　　図４
2004049684.tif 000002
【特許請求の範囲】
【請求項１】
座枠の上面にネット部材（多孔性シート部材を含む）を張設した椅子の座構造において、座枠を、外周部に剛質部を有するとともに、その適所の上面に、上向円弧状に緩く湾曲し、かつ内側方向を向く弾性変形可能な水平方向の張出片を設けたものとし、この張出片の上面と座枠の剛質部の上面とに亘って、ネット部材の周辺部を張設したことを特徴とする椅子の座構造。
【請求項２】
張出片を、座枠の前部に設けたことを特徴とする請求項１記載の椅子の座構造。
【請求項３】
張出片を、座枠の内周全域に設けたことを特徴とする請求項１記載の椅子の座構造。
【請求項４】
張出片に、その内周縁から外側方を向く多数の切込溝を設けることにより、隣接する切込溝の間の部分を可撓性舌片としたことを特徴とする請求項１〜３のいずれかに記載の椅子の座構造。
【請求項５】
切込溝の奥端に、切込みが進行するのを防止するための停止孔を設けたことを特徴とする請求項４記載の椅子の座構造。
【請求項６】
張出片に、その内周縁から外側方を向く多数の可撓溝を設けることにより、隣接する可撓溝の間の部分を、可撓性舌片としたことを特徴とする請求項１〜３のいずれかに記載の椅子の座構造。
【請求項７】
可撓性舌片に、側方向を向く可撓用波曲を設けたことを特徴とする請求項１〜６のいずれかに記載の椅子の座構造。
【請求項８】
可撓性舌片に、可撓用薄肉部を設けたことを特徴とする請求項１〜６記載の椅子の座構造。
【請求項９】
座枠の前縁における張出片を、他の個所におけるものよりも長寸としたことを特徴とする請求項１〜８のいずれかに記載の椅子の座構造。
【請求項１０】
座枠の前縁における張出片の形状寸法を、着席者の太ももの裏面を好適に支持しうるようなものとした請求項１〜９のいずれかに記載の椅子の座構造。
【発明の詳細な説明】
【０００１】
【発明の属する技術分野】
本発明は、座枠に、弾性変形可能なネット部材もしくは多孔性シート部材の周縁部を取り付けた椅子の座構造（背当てを含む）に関する。
【０００２】
【従来の技術】
通常は方形状をなす座枠に、高張力のプラスチック材等よりなる弾性変形可能なネット部材もしくは多孔性シート部材の周縁部を取り付けた椅子の座構造は公知である。
【０００３】
【発明が解決しようとする課題】
上記座枠における枠杆は、通常、角型断面をなしており、ネット部材もしくは多孔性シート部材の周縁を支持するべきその上面は、概ね平坦である。
【０００４】
そのため、ネット部材（以下、多孔性シート部材を含む）の周縁部は、座枠の上面もしくは前面の全体にわたって当接重合し、ネット部材に着席者の荷重が掛かると、ネット部材は撓んで、その周縁部は、座枠を構成する枠杆の上面もしくは前面の内周角部に、強く当接することとなる。
【０００５】
そのため、枠杆の内周角部に応力が集中して負荷され、この部分が摩耗したり傷んだりするとともに、着席者の尻や太ももまたは背等が、枠杆の内周角部に当たって、着席者に不快感を与えることとなる。
【０００６】
また、ネット部材は撓み易く、使用に伴ってたるんだネット部材は、着座者に不快感と不安定感を与え、かつたるんだネット部材の周縁部は、枠杆の内周角部に沿って、折れ曲がって凹入するので、この折れ曲がり部が目立ち、体裁が損われる。
【０００７】
さらに、座枠にネット部材の周縁部を止着した従来の椅子の座構造においては、ネット部材を透して座枠の内側面が見えるので、体裁は良くない。
【０００８】
【課題を解決するための手段】
本発明は、座枠にネット部材の周縁部を止着した椅子の座構造における上述のような問題点を解消することを目的とするもので、その具体的手段は、次の如くである。
（１）　座枠の上面にネット部材（多孔性シート部材を含む）を張設した椅子の座構造において、座枠を、外周部に剛質部を有するとともに、その適所の上面に、上向円弧状に緩く湾曲し、かつ内側方向を向く弾性変形可能な水平方向の張出片を設けたものとし、この張出片の上面と座枠の剛質部の上面とに亘って、ネット部材の周辺部を張設する。
【０００９】
（２）　上記（１）項において、張出片を、座枠の前部に設ける。
【００１０】
（３）　上記（１）項において、張出片を、座枠の内周全域に設ける。
【００１１】
（４）　上記（１）〜（３）項のいずれかにおいて、張出片に、その内周縁から外側方を向く多数の切込溝を設けることにより、隣接する切込溝の間の部分を可撓性舌片とする。
【００１２】
（５）　上記（４）項において、切込溝の奥端に、切込みが進行するのを防止するための停止孔を設ける。
【００１３】
（６）　上記（１）〜（３）項のいずれかにおいて、張出片に、その内周縁から外側方を向く多数の可撓溝を設けることにより、隣接する可撓溝の間の部分を、可撓性舌片とする。
【００１４】
（７）　上記（１）〜（６）項のいずれかにおいて、可撓性舌片に、側方向を向く可撓用波曲を設ける。
【００１５】
（８）　上記（１）〜（６）項のいずれかにおいて、可撓性舌片に、可撓用薄肉部を設ける。
【００１６】
（９）　上記（１）〜（８）項のいずれかにおいて、座枠の前縁における張出片を、他の個所におけるものよりも長寸とする。
【００１７】
（１０）　上記（１）〜（９）項のいずれかにおいて、座枠の前縁における張出片の形状寸法を、着席者の太ももの裏面を好適に支持しうるようなものとする。
【００１８】
【発明の実施の形態】
本発明は、図１および図２に示す椅子（Ａ）の座シート（Ｂ）にも、背当て（Ｃ）にも等しく適用しうるものであるが、以下これを、座シート（Ｂ）に適用した例を示す図３〜図５に基いて説明する。
【００１９】
座シート（Ｂ）は、所望の形状をなす閉結枠状の座枠（１）の周縁部の上面および外側縁に、それと対応する形状寸度を有する高張力の合成樹脂からなるネット部材（２）の周縁部を重合し、かつ座枠（１）の下面に、それと対応する平面形を有する締付枠（３）を、重合して止着したものである。
【００２０】
座枠（１）は、硬質プラスチックもしくは適宜の金属からなり、外周部に設けた厚肉の剛質部（４）の上面内周部に、全周に亘って、緩い下向きの円弧状をなして、内方を向くほぼ水平の薄肉の張出片（５）を連設したものである。
【００２１】
座枠（１）の前部における張出片（５）は、側部および後部のものに比してかなり長寸であり、かつその中央部は、両側部に比して、長寸とされている。側部および後部には、張出片（５）を設けないこともある。
【００２２】
前部における張出片（５）には、その後縁から前方を向く複数の切込溝（６）を設けることにより、隣接する切込溝（６）（６）の間を、弾性的に下傾しうる可撓舌片（７）としてある。
【００２３】
可撓舌片（７）の可撓性を所望のものとするために、その厚さを、先端方向へ向かって、漸次小とすることもある。
【００２４】
なお、各切込溝（６）の奥端には、その切り進みを防止するために、その幅より大径の円状の停止孔（８）を設けてある。
【００２５】
各可撓舌片（７）の先端縁には、剛性保持と補強のための下向き膨出部（９）を設けておくのがよい。
【００２６】
座枠（１）の内周各部における下向き円弧状の張出片（５）の上下位置、上下方向、および曲率は、その上に張設されるネット部材（２）の周辺部が、各張出片（５）の上面にほぼ当接するように定められている。
【００２７】
各張出片（５）の先端部すなわち内縁部の曲率を、他の部分よりやや小とし、ネット部材（２）の周辺部が張出片（５）の上面に当接した際においても、張出片（５）の先端とネット部材（２）との間に、若干の隙間が残るようにしておくのがよい。
【００２８】
外周の厚肉の剛質部（４）の適所には、下面からねじ孔（１０）があけられている。
【００２９】
切込溝（６）の代わりに、断面Ｖ状の多数の可撓溝を設けて、その間を可撓性舌片（７）とすることもある。
【００３０】
可撓性舌片（７）の可撓性を所望のものとするために、その適所に側方向その他の方向を向く薄肉部や波曲を付しておくこともある。
【００３１】
締付枠（３）は、プラスチックを成形して形成され、その上面は、座枠（１）の厚肉の外周剛質部（４）の下面との間に、ネット部材（２）の周辺部を、漸次締め込み気味で挟み込みうるような形状とされている。締付枠（３）における座枠（１）の前記ねじ孔（１０）と対応する個所には、ボルト（１１）挿通孔（１２）があけられている。
【００３２】
組み付けるには、ネット部材（２）を座枠（１）上に重合するとともに、ネット部材（２）の周辺部を、座枠（１）の外周剛質部（４）に沿って下方へ曲げた後、座枠（１）の外周剛質部（４）の下面に重合し、ついで下方から締付枠（３）を当接することにより、ネット部材（２）の折り曲げられた下縁を締め込み、挿通孔（１２）へ挿入したボルト（１１）を、座枠（１）の下面のねじ孔（１０）へ螺合する。
【００３３】
かくして、ネット部材（２）の周辺部は、弾性撓曲可能な張出片（５）の上面を介して、外周剛質部（４）に支持され、かつこの際、ネット部材（２）の周辺部は、張出片（５）の内周部の上面にほぼ当接する。
【００３４】
着席者の荷重が作用すると、図５に示すように、ネット部材（２）の周辺部は、張出片（５）に当接して下方へ撓む。
【００３５】
【発明の効果】
各請求項に記載の発明の効果は、次の通りである。
請求項１：ネット部材の周辺部は、張出片の上面をやや弾圧気味で張設されるので、体裁は良く、またネット部材に着席者の負荷が掛かった際、図５に示すように、ネット部材の周辺部は張出片を弾圧し、ネット部材に、適度の弾性と復元力が与えられる。
また張出片の存在により、それを支持する座枠の外周の剛質部が、ネット部材を透して直接見えることはなく、体裁が良い。
【００３６】
請求項２：張出片により、着座者の太ももの裏が好適に弾性保持される。
【００３７】
請求項３：ネット部材の全周が、張出片により好適に弾性支持される。
【００３８】
請求項４：着席者により、可撓舌片が撓むので、着席者は、ネット部材を介して、快適に支持される。
【００３９】
請求項５：再三の使用によっても、可撓性舌片の側部の切込溝が、一定以上に切り込んで、張出片を損壊することはない。
【００４０】
請求項６：可撓性舌片の側縁を、可撓溝としてあるから、隣接する可撓性舌片の間に、異物が挟まったり、また舌片同士の傾斜が大きく異なるものとなって、体裁を損うことはない。
【００４１】
請求項７：可撓性舌片の可撓性を、その長手方向の部分において、異ならせることができる。
【００４２】
請求項８：可撓性舌片の各部における可撓性を任意に定めることができる。
【００４３】
請求項９：着席者の荷重が最も頻繁に作用する個所の支持を好適にすることができる。
【００４４】
請求項１０：着座者の太ももの裏面が、好適に弾性支持される。
【図面の簡単な説明】
【図１】本発明の一実施形態を適用した椅子の正面図である。
【図２】同じく側面図である。
【図３】本発明の椅子の座構造の一実施形態の下方分解斜視図である。
【図４】本発明の椅子の座構造の一実施形態の不使用時における縦断側面図である。
【図５】本発明の椅子の座構造の一実施形態の使用時における縦断側面図である。
【符号の説明】
（Ａ）椅子
（Ｂ）座シート
（Ｃ）背当て
（１）座枠
（２）ネット部材
（３）締付枠
（４）剛質部
（５）張出片
（６）切込溝
（７）可撓性舌片
（８）停止孔
（９）下向き膨出部
（１０）ねじ孔
（１１）ボルト
（１２）挿通孔
【図１】
2004049684.tif 000003
【図２】
2004049684.tif 000004
【図３】
2004049684.tif 000005
【図４】
2004049684.tif 000006
【図５】
2004049684.tif 000007